(57)【要約】【課題】  機密記録媒体等の搬出・運搬・一時保管から廃棄処理装置への投入による最終処理までの状況を排出者並びに処理に係る事業者が廃棄物梱包単位で確実に確認することができるシステムを提供する【解決手段】  排出企業端末２と、運送事業者端末５と、廃棄物処理場に設けられた廃棄物処理場端末７と、インターネットを介して接続された機密情報廃棄管理センターコンピュータ１０とから構成され、それぞれの端末は、非接触通信可能なＩＣ記録媒体であるＲＦＩＤタグの読取書込装置が接続されて廃棄物梱包に取外し不能に貼付されたＲＦＩＤタグに廃棄物梱包を個別に識別するＩＤ情報を書込記録し、運送・保管・廃棄処理の各工程でそれぞれの処理記録を該ＲＦＩＤに書込記録すると共に、書込の記録を各端末に記録し、廃棄物処理場の廃棄物処理装置で、焼却・破砕・溶解処理された確認情報を記録することを特徴とする機密情報記録媒体の廃棄処理管理システム。【選択図】図２
2006256718.tif 000002
【特許請求の範囲】
【請求項１】
廃棄される機密情報記録媒体（以下機密廃棄物と呼ぶ）を排出する企業に備えた排出企業端末と、その機密廃棄物を運搬する事業者の運送事業者端末と、廃棄物処理事業者の廃棄物処理場に設けられた廃棄物処理場端末と、それぞれの端末とインターネットを介して接続された機密情報廃棄管理センターコンピュータとから構成される機密廃棄物の廃棄処理を管理するシステムであって、
前記排出企業端末、運送事業者端末、廃棄物処理場端末のそれぞれの端末は、非接触通信可能なＩＣ記録媒体であるＲＦＩＤ（Ｒａｄｉｏ  Ｆｒｅｑｕｅｎｃｙ  ＩＤｅｎｔｉｆｉｃａｔｉｏｎ）タグのＲＦＩＤ読取書込装置が接続されて、前記機密廃棄物の排出企業が機密情報記録媒体を収納して梱包した廃棄物梱包に取外し不能に貼付されたＲＦＩＤタグに廃棄物梱包を個別に識別するＩＤ情報を書込み記録し、運送・保管・廃棄処理の各工程でそれぞれの処理記録を該ＲＦＩＤに書込み記録すると共に、書き込みの記録を各端末に記録し、前記インターネットを介して前記機密情報廃棄管理センターのコンピュータに送信する廃棄物移動記録送信手段を備え、
前記機密情報廃棄管理センターコンピュータは、インターネットに接続されたＷｅｂサーバと、機密情報管理のための情報処理を行うアプリケーションサーバと、廃棄処理情報を記録管理するデータベースサーバとを備え、
前記排出企業端末、運送事業者端末、廃棄物処理場端末のそれぞれの端末から送信されるＲＦＩＤへの書込み、読込み情報を記録し、廃棄物処理場の廃棄物処理装置で、焼却・破砕・溶解処理された確認情報を記録することを特徴とする機密情報記録媒体の廃棄処理管理システム。
【請求項２】
前記機密情報廃棄管理センターコンピュータのアプリケーションサーバは、機密情報記録媒体の機密廃棄物を排出する企業情報及び排出業務管理部門、管理責任者を記録する排出企業登録手段と、機密廃棄物を排出企業から廃棄物処理場或は一時保管倉庫に運送する運送事業者に関する情報を記録する運送事業者登録手段と、機密廃棄物を焼却・破砕・溶解処分する廃棄物処理場を運営する処分事業者登録手段と、機密廃棄物の廃棄物梱包の一つ一つに貼付されたＲＦＩＤタグに記録された識別ＩＤと、識別情報を排出企業端末から受信して廃棄物追跡記録ファイルに登録記録する廃棄物梱包ＩＤ登録手段と、運送事業者端末及び廃棄物処理場端末から廃棄物梱包に貼付されたＲＦＩＤタグの読取り、書込み情報を受信し、読取り書き込みの記録を廃棄物追跡記録ファイルに記録すると共に、同一ロットで運搬された廃棄物梱包の到着漏れを判定し警告する廃棄物移動記録・判定手段と、廃棄物梱包が、一時保管倉庫に庫入された場合、保管期限をＲＦＩＤタグに書き込むと共に廃棄物追跡記録ファイルに記録し、所定期限内に廃棄物処理完了記録がないかを判定し保管期限超過警告を排出企業端末に送信する廃棄物保管期限管理手段と、廃棄物処理場端末機から廃棄物処理装置に投入されたことを示すＲＦＩＤ読取り情報を受信した機密廃棄物について排出企業端末へ処理完了報告情報を送信する廃棄物処理記録報告手段と、廃棄物追跡記録ファイルを検索し識別ＩＤ登録後所定期日を経過した廃棄物梱包の識別ＩＤおよび追跡記録を排出企業端末並びに関係する処理事業者端末に通知する処理異常通知手段とを備えることを特徴とする請求項１記載の機密情報記録媒体の廃棄処理管理システム。
【請求項３】
前記廃棄物処理場端末に接続されたＲＦＩＤ読取書込装置は、焼却・破砕・溶解のいずれかの廃棄物処理装置の投入口近傍に設けられた読取ゲートに備え、廃棄物処理装置に投入される以外回収不能な状態にある前記廃棄物梱包に貼付されたＲＦＩＤを読取ることを特徴とする請求項１記載の機密情報記録媒体の廃棄処理管理システム。
【請求項４】
前記読取ゲートは廃棄物処理場端末に接続された運転制御装置を備え、該運転制御装置に接続された複数のＲＦＩＤ読取書込装置を設けて、前記廃棄物処理装置に廃棄物梱包を移送する移送コンベアの両側に前後する複数箇所にＲＦＩＤ読取書込装置を設け、前後する第１のＲＦＩＤ読取書込装置で読取ったデータと第２のＲＦＩＤ装置で読取ったデータを照合し、同じ情報であるかを判定し、読取り不能或は、読取りデータに相違がある場合、警報を発すると共に、移送コンベア上の廃棄物梱包を停止させ、廃棄物梱包の確認を可能とすることを特徴とする請求項１ないし３記載の機密情報記録媒体の廃棄処理管理システム。
【請求項５】
前記排出企業端末、運送事業者端末に接続されたＲＦＩＤ読取書込装置は、少なくとも読書ボタンと種別選択ボタンを備え電源装置を内蔵し、少なくともそのＲＦＩＤ読取書込装置固有の識別ＩＤと、近傍を通過したＲＦＩＤタグの読取・書込履歴を記録した不揮発性記憶部と、ＲＦＩＤタグを読み書きした日時・時刻を読み出し可能な時計部と、前記端末パソコンとの接続部とを備えた携帯可能な端末であることを特徴とする請求項１記載の機密情報記録媒体の廃棄処理管理システム。
【発明の詳細な説明】
【技術分野】
【０００１】
本発明は、機密書類或は磁気記録などの機密情報記録媒体の廃棄処理管理システムに関し、特に機密記録媒体等の搬出・運搬・一時保管から廃棄処理装置への投入による最終処分までの状況を排出者並びに処理に係る事業者が廃棄物梱包単位で確実に確認することができるシステムに関する。
【背景技術】
【０００２】
従来、廃棄物の処理に関しては、マニフェストの発行記入及び関係する運搬業者、廃棄物処理業者から処理日付が記載された伝票による報告がなされている。しかし、廃棄物処理場まで運び込まれたことは確認できるものの、廃棄物が収容された梱包がそのまま焼却などの処理がなされたかが確認できない問題があった。
【０００３】
このため、大量に発生する個人情報など、流出による被害が甚大な機密情報の廃棄処理においては、従来の廃棄物処理の管理では問題が起こる恐れがあった。
【０００４】
特許文献１は、機密廃棄物の識別データを入力する端末から通信回線を介して送信される機密廃棄物の識別データを管理センタサーバで受信する工程と、機密廃棄物を撮影する端末から通信回線を介して送信される機密廃棄物の処理状況の映像データとを関連付けて排出者端末に通信回線を経由して送信する工程とを有することを特徴とする機密廃棄物の処理方法が提案されている。
【０００５】
この発明では、識別データとしてバーコードを印刷した識別ラベルを用いており、読み取りに際して廃棄物梱包の状態により読取りが漏れ、確実に読みこませるために人手がかかる問題があった。また、処理過程の撮影画像が膨大であり、個別の廃棄物梱包を特定して確認することは困難であった。
【０００６】
さらに、個別の廃棄物梱包には、排出から現状の位置まで、どの経路で、いつ運ばれてきたものであるかの記録がなく、確認にはその都度センタサーバの記録を検索調査しなければならなかった。
【０００７】
【特許文献１】特開２００２−２９６０２号公報（第２頁、第１図）
【発明の開示】
【発明が解決しようとする課題】
【０００８】
本発明は、前述の問題に鑑みてなされたもので、機密記録媒体等の搬出・運搬・一時保管から廃棄処理装置への投入による最終処分までの状況を排出者並びに処理に係る事業者が廃棄物梱包単位で確実に確認することができるシステムを提供することを課題とする。
【課題を解決するための手段】
【０００９】
前記課題を解決するため、本発明の機密情報記録媒体の廃棄処理管理システムは、廃棄される機密情報記録媒体（以下機密廃棄物と呼ぶ）を排出する企業に備えた排出企業端末と、その機密廃棄物を運搬する事業者の運送事業者端末と、廃棄物処理事業者の廃棄物処理場に設けられた廃棄物処理場端末と、それぞれの端末とインターネットを介して接続された機密情報廃棄管理センターコンピュータとから構成される機密廃棄物の廃棄処理を管理するシステムであって、
前記排出企業端末、運送事業者端末、廃棄物処理場端末のそれぞれの端末は、非接触通信可能なＩＣ記録媒体であるＲＦＩＤ（Ｒａｄｉｏ  Ｆｒｅｑｕｅｎｃｙ  ＩＤｅｎｔｉｆｉｃａｔｉｏｎ）タグのＲＦＩＤ読取書込装置が接続されて、前記機密廃棄物の排出企業が機密情報記録媒体を収納して梱包した廃棄物梱包に取外し不能に貼付されたＲＦＩＤタグに廃棄物梱包を個別に識別するＩＤ情報を書込み記録し、運送・保管・廃棄処理の各工程でそれぞれの処理記録を該ＲＦＩＤに書込み記録すると共に、書き込みの記録を各端末に記録し、前記インターネットを介して前記機密情報廃棄管理センターのコンピュータに送信する廃棄物移動記録送信手段を備え、
前記機密情報廃棄管理センターコンピュータは、インターネットに接続されたＷｅｂサーバと、機密情報管理のための情報処理を行うアプリケーションサーバと、廃棄処理情報を記録管理するデータベースサーバとを備え、
前記排出企業端末、運送事業者端末、廃棄物処理場端末のそれぞれの端末から送信されるＲＦＩＤへの書込み、読込み情報を記録し、廃棄物処理場の廃棄物処理装置で、焼却・破砕・溶解処理された確認情報を記録することを特徴とする。
【００１０】
また、前記機密情報廃棄管理センターコンピュータのアプリケーションサーバは、機密情報記録媒体の機密廃棄物を排出する企業情報及び排出業務管理部門、管理責任者を記録する排出企業登録手段と、機密廃棄物を排出企業から廃棄物処理場或は一時保管倉庫に運送する運送事業者に関する情報を記録する運送事業者登録手段と、機密廃棄物を焼却・破砕・溶解処分する廃棄物処理場を運営する処分事業者登録手段と、機密廃棄物の廃棄物梱包の一つ一つに貼付されたＲＦＩＤタグに記録された識別ＩＤと、識別情報を排出企業端末から受信して廃棄物追跡記録ファイルに登録記録する廃棄物梱包ＩＤ登録手段と、運送事業者端末及び廃棄物処理場端末から廃棄物梱包に貼付されたＲＦＩＤタグの読取り、書込み情報を受信し、読取り書き込みの記録を廃棄物追跡記録ファイルに記録すると共に、同一ロットで運搬された廃棄物梱包の到着漏れを判定し警告する廃棄物移動記録・判定手段と、廃棄物梱包が、一時保管倉庫に庫入された場合、保管期限をＲＦＩＤタグに書き込むと共に廃棄物追跡記録ファイルに記録し、所定期限内に廃棄物処理完了記録がないかを判定し保管期限超過警告を排出企業端末に送信する廃棄物保管期限管理手段と、廃棄物処理場端末機から廃棄物処理装置に投入されたことを示すＲＦＩＤ読取り情報を受信した機密廃棄物について排出企業端末へ処理完了報告情報を送信する廃棄物処理記録報告手段と、廃棄物追跡記録ファイルを検索し識別ＩＤ登録後所定期日を経過した廃棄物梱包の識別ＩＤおよび追跡記録を排出企業端末並びに関係する処理事業者端末に通知する処理異常通知手段とを備えることを特徴とする。
【００１１】
また、前記廃棄物処理場端末に接続されたＲＦＩＤ読取書込装置は、焼却・破砕・溶解のいずれかの廃棄物処理装置の投入口近傍に設けられた読取ゲートに備え、廃棄物処理装置に投入される以外回収不能な状態にある前記廃棄物梱包に貼付されたＲＦＩＤを読取ることを特徴とする。
【００１２】
また、前前記読取ゲートは廃棄物処理場端末に接続された運転制御装置を備え、該運転制御装置に接続された複数のＲＦＩＤ読取書込装置を設けて、前記廃棄物処理装置に廃棄物梱包を移送する移送コンベアの両側に前後する複数箇所にＲＦＩＤ読取書込装置を設け、前後する第１のＲＦＩＤ読取書込装置で読取ったデータと第２のＲＦＩＤ装置で読取ったデータを照合し、同じ情報であるかを判定し、読取り不能或は、読取りデータに相違がある場合、警報を発すると共に、移送コンベア上の廃棄物梱包を停止させ、廃棄物梱包の確認を可能とすることを特徴とする。
【００１３】
また、前記排出企業端末、運送事業者端末に接続されたＲＦＩＤ読取書込装置は、少なくとも読書ボタンと種別選択ボタンを備え電源装置を内蔵し、少なくともそのＲＦＩＤ読取書込装置固有の識別ＩＤと、近傍を通過したＲＦＩＤタグの読取・書込履歴を記録した不揮発性記憶部と、ＲＦＩＤタグを読み書きした日時・時刻を読み出し可能な時計部と、前記端末パソコンとの接続部とを備えた携帯可能な端末であることを特徴とする。
【発明の効果】
【００１４】
本発明の機密情報記録媒体の廃棄処理管理システムによれば、大量の機密情報記録媒体の廃棄管理を、廃棄物梱包単位で、確実に行うことができる。特に、廃棄物梱包単位に貼付されたＲＦＩＤタグにより、搬送中の移送コンベアで瞬時に確実に読取り、さらにいずれの場所で読取られたかの記録がＲＦＩＤタグに書込まれるため、廃棄物梱包の保管態様がいかなる状態にあってもその場で処理過程の記録を読取り確認することができる。
【００１５】
また、廃棄物処理装置の入口で、瞬時に最終処理される廃棄物梱包の識別情報及び処理過程の情報を読取り記録できるため、大量な機密情報の廃棄処分が短時間で行え、さらに、確実な処理の確認を行うことができる。
【００１６】
さらに、廃棄物梱包が輸送途中、或は保管中に紛失された場合、運搬・保管ロットの管理により早期に異常状態の発見がなされると共に、廃棄処理装置への投入直前に貼付されたＲＦＩＤの読取り異常があれば、途中での開梱など、封印の破損確認、梱包内容の抜取り確認を行うことができる。
【発明を実施するための最良の形態】
【００１７】
本発明の実施の形態を詳細に説明する。図１は本発明の機密情報記録媒体の廃棄処理管理システムの構成を示す模式図である。
【００１８】
機密情報記録媒体の廃棄処理管理システム１００は、廃棄される機密情報記録媒体（以下機密廃棄物と呼ぶ）を排出する企業１に備えた排出企業端末２と、その機密廃棄物を運搬する事業者４の運送事業者端末５と、廃棄物処理事業者の廃棄物処理場６に設けられた廃棄物処理場端末７と、それぞれの端末とインターネット９を介して接続された機密情報廃棄管理センターコンピュータ１０とから構成される。
【００１９】
前記排出企業端末２、運送事業者端末５、廃棄物処理場端末７のそれぞれの端末は、非接触通信可能なＩＣ記録媒体であるＲＦＩＤ（Ｒａｄｉｏ  Ｆｒｅｑｕｅｎｃｙ  ＩＤｅｎｔｉｆｉｃａｔｉｏｎ）タグ６０のＲＦＩＤ読取書込装置４０が接続されている。
【００２０】
ＲＦＩＤ読取書込装置４０は、外部接続・通信回路を備えてそれぞれの端末パソコンに接続された状態を図示したが、電源（バッテリー）を備え、端末パソコンとの接続を外した状態で、廃棄物梱包の包装現場、或は運搬のための荷積み現場、荷下ろし現場に携帯し、廃棄物梱包に貼付されたＲＦＩＤタグを読取り・書込み可能な装置を併用して用いることができる。携帯可能なＲＦＩＤ読取書込装置４０の構成について、詳細は後述する。
【００２１】
排出企業端末２は、識別ＩＤ採番書込手段３ａを備え、まず、前記機密廃棄物の排出企業が機密書類或は機密情報が記録されたＣＤ・ＤＶＤなどの記録媒体を収納して梱包した廃棄物梱包５０を封印し、封印と共に取外し不能に貼付されたＲＦＩＤタグ６０に、接続されたＲＦＩＤ読取書込装置４０からその廃棄物梱包５０を個別に識別するＩＤ情報を書込み記録する。この廃棄物梱包５０を識別するＩＤ情報は、排出企業が任意に記号・番号の組み合わせを設定して梱包ごとに一意のＩＤコードを採番したものである。
【００２２】
この作業は、機密廃棄物の排出企業が、排出企業端末２に接続されたＲＦＩＤ読取書込装置４０により行い、排出企業内の機密記録管理記録として、廃棄物梱包５０の内容物が確認可能なようになされる。なお、機密情報廃棄管理センターを運営する管理企業が代行してＲＦＩＤタグへの識別ＩＤ書き込み作業を予め行い、識別ＩＤが書き込まれたＲＥＩＤタグ６０を排出企業に渡し、排出企業は廃棄物梱包５０に貼付する方法としてもよい。
【００２３】
運送事業者端末５に接続されたＲＦＩＤ読取書込装置４０は、排出企業からの搬出に際して積み込み時点で廃棄物梱包５０に貼付されたＲＦＩＤタグ６０を読取り、そのＲＦＩＤ読取書込装置４０の装置固有の識別ＩＤと、搬出積み込みの場所、日時、搬出運送責任者（担当者）、運送先、運送ロット番号などの情報をＲＦＩＤタグ６０に書き込むと共に、読取書込したＲＦＩＤ読取書込装置４０の記録部に記録させる。
【００２４】
廃棄物処理場６の廃棄物処理場端末７に接続されたＲＦＩＤ読取書込装置４０は、搬入された廃棄物梱包５０に貼付されたＲＦＩＤタグ６０を読取り、そのＲＦＩＤ読取書込装置４０の装置固有の識別ＩＤと、搬入場所、日時、搬入受付責任者（担当者）などの情報をＲＦＩＤタグ６０に書き込むと共に、読取書込したＲＦＩＤ読取書込装置４０の記録部に記録させる
。
【００２５】
廃棄物処理場６は、廃棄物処理装置８として、焼却装置或は破砕装置、溶解装置などを備えており、それぞれの装置に搬送する搬送コンベアが設けられている。破砕措置又は溶解装置は資源リサイクル回収装置である。
【００２６】
廃棄物処理装置８へ廃棄物梱包５０を搬送する搬送コンベア２００には、処理装置の入口近傍にＲＦＩＤ読取書込装置４０が読取りゲートとして固定して設けられており、搬送コンベア上を搬送されてくる廃棄物梱包５０に貼付されたＲＦＩＤタグ６０を読取り、処理装置へ投入された廃棄物梱包の識別ＩＤ情報を収集して記録する。（図３参照）
【００２７】
なお、搬送コンベア２００に設置された読取ゲートは、読取りエラーで、廃棄物梱包の特定ができない場合、或は、廃棄物梱包の封印が開けられた恐れがある場合の確認のため、運転制御装置を備え、読み取りエラーとなった廃棄物梱包を取り出すための停止ストッパーを制御する。読取りゲートの詳細は図３に示し、説明は後述する。
【００２８】
図示しないが、廃棄物処理場６の廃棄物処理装置８の処理能力を超える機密廃棄物の排出に備えるため、一時保管庫を備える場合がある。一時保管される場合は、搬入に際して保管場所、保管期限についての情報をＲＦＩＤタグ６０に書き込むと共に、読取書込したＲＦＩＤ読取書込装置４０の記録部に記録させる。なお、一時保管庫が、廃棄物処理場６と離れた場所にある場合は、搬出に際して前述の運送事業者がＲＦＩＤタグ６０の読取り書込を行い搬出記録する。
【００２９】
排出企業端末２、運送事業者端末５、廃棄物処理場端末７のそれぞれの端末は、Ｗｅｂブラウザを備え、インターネットに接続可能なパソコンであり、接続されたＲＦＩＤ読取書込装置４０のＲＦＩＤタグ６０の読取り・書込み情報を読み出して、インターネットを介して機密情報廃棄管理センターコンピュータ１０へ送信する廃棄物移動記録送信手段３ｂを備える。（図示省略）
【００３０】
廃棄物移動記録送信手段６１は、ＲＦＩＤ読取書込装置４０が携帯端末である場合は、読取書込装置の不揮発性メモリーから読取り・書込み記録を逐次読み出して送信する。また、送信済みの情報には送信済みフラグを記録し、送信済み情報のみ消去を可能とする。一方、端末に接続した状態で使用する場合は、ＲＦＩＤタグ６０を読書きした都度、インターネットを介してリアルタイムに送信させるようにし、リアルタイムで廃棄物梱包の移動記録を送信させることが望ましい。
【００３１】
ここで、廃棄物梱包５０の封印について説明する。機密書類・機密記録媒体が収納された廃棄物梱包５０は、開封されない状態で廃棄物処理装置に投入され、途中で機密物が散逸しないことが確認されなければならない。このため、封印の開封が察知されるように、前記ＲＦＩＤタグ６０を封印に剥がされないように貼付する。すなわち開封によりＲＦＩＤタグ６０が破損し通信不能となった場合、開封された恐れがある梱包として廃棄処分前に確認できるようにする。
【００３２】
次に、機密情報廃棄管理センターコンピュータ１０の構成を説明する。
【００３３】
機密情報廃棄管理センターコンピュータ１０は、インターネット９に接続されたＷｅｂサーバ１１と、機密情報管理のための情報処理を行うアプリケーションサーバ２０と、廃棄処理情報を記録管理するデータベースサーバ３０と、管理端末１３とから構成され、それぞれがＬＡＮ１２で接続されている。
【００３４】
機密情報廃棄管理センターコンピュータ１０の主な機能は、前記排出企業端末２、運送事業者端末５、廃棄物処理場端末７のそれぞれの端末から送信されるＲＦＩＤタグへの書込み読取り情報を記録し、廃棄物処理場６の廃棄物処理装置８で、焼却・破砕・溶解処理された確認情報を記録するものである。そのデータベースサーバ３０には、少なくとも排出企業情報ファイル３１、運送・処理事業者ファイル３２、廃棄物追跡記録ファイル３３を備える。
【００３５】
前記アプリケーションサーバ２０は、排出企業登録手段２１と、運送事業者登録手段２２と、処分事業者登録手段２３と、廃棄物梱包ＩＤ登録手段２４と、廃棄物移動記録・判定手段２５と、廃棄物保管期限管理手段２６と、廃棄物処理記録報告手段２７と、処理異常通知手段２８とを少なくとも備える。
【００３６】
排出企業登録手段２１は、機密情報記録媒体の機密廃棄物を排出する企業名、企業の識別ＩＤ、その企業の排出業務管理部門のメールアドレス、管理責任者、本システムにインターネット９でアクセスする際のパスワード、排出企業が使用するＲＦＩＤ読取書込装置４０の装置固有の識別ＩＤなどを排出企業情報ファイル３１に登録する手段である。
【００３７】
運送事業者登録手段２２は、機密廃棄物を排出企業から廃棄物処理場或は一時保管倉庫に運送する運送事業者に関する情報を記録するもので、運送事業者名、運送事業者の識別ＩＤ、管理責任者、メールアドレス、本システムにインターネットでアクセスする際のパスワード、運送事業者が使用するＲＦＩＤ読取書込装置４０の識別ＩＤなどを運送・処理事業者ファイル３２に登録する手段である。
【００３８】
本システムのＷｅｂサーバへのアクセスに際しては、登録された運送事業者の識別ＩＤと、パスワードの入力を判定し、運送・処理事業者ファイル３２に登録されたパスワードと一致した場合のみ接続する。また、登録されたＲＦＩＤ読取書込装置４０の識別ＩＤによりその運送事業者が収集したＲＦＩＤタグの読取り・書込み情報の送信を受付ける。
【００３９】
処分事業者登録手段２３は、機密廃棄物を焼却・破砕・溶解処分する廃棄物処理場を運営する廃棄物処理事業者に関する情報を記録するもので、廃棄物処理事業者名、廃棄物処理事業者の識別ＩＤ，廃棄物処理場、廃棄物処理の識別ＩＤ、管理責任者、メールアドレス、システムにインターネットでアクセスする際のパスワード、廃棄物処理場で使用するＲＦＩＤ読取書込装置４０の識別ＩＤなどを運送・処理事業者ファイル３２に登録する手段である。
【００４０】
なお、運送事業者および廃棄物処理事業者は、それぞれ複数のＲＦＩＤ読取書込装置４０を備え、運送車両或は処理場に備えるので、複数のＲＦＩＤ読取書込装置４０の装置固有の識別ＩＤを登録しておき、ＲＦＩＤタグの読取り書込みが、いずれの装置から行われたかの記録が識別可能とする。
【００４１】
廃棄物梱包ＩＤ登録手段２４は、機密廃棄物の廃棄物梱包５０の一つ一つに貼付されたＲＦＩＤタグ６０に記録された識別ＩＤと、識別情報を排出企業端末から受信して廃棄物追跡記録ファイル３３に登録記録する手段である。
【００４２】
廃棄物梱包５０の識別ＩＤは、排出企業が任意に記号・番号の組み合わせを設定して梱包ごとに一意のＩＤコードを採番したものである。識別情報については、排出年月日、排出内容、排出部署などを排出企業が任意に書き込むことができるが、暗号化した情報とすることが望ましい。
【００４３】
この廃棄物梱包ＩＤ登録手段２４により、この登録以降の運搬から廃棄処理終了までの廃棄物梱包５０の経過が追跡管理されるものである。
【００４４】
廃棄物移動記録・判定手段２５は、運送事業者端末５及び廃棄物処理場端末７から廃棄物梱包５０に貼付されたＲＦＩＤタグ６０の読取り、書込み情報を受信し、読取り書き込みの記録を廃棄物追跡記録ファイル３３に記録すると共に、同一運送ロット番号で運搬された廃棄物梱包の到着漏れを判定し警告する手段である。
【００４５】
例えは、排出企業から１０個口の廃棄物梱包５０を積み込み、廃棄物処理場６へ輸送した場合、同一運送ロット番号で、同時に１０個の廃棄物梱包５０が到着するのが通常であるが、廃棄物処理場６に到着した梱包が少ない場合は、途中で事故が発生した恐れがある。到着漏れの判定は、廃棄物追跡記録ファイル３３を検索し、運送ロット番号の廃棄物梱包５０の所在が同一となっていない物件を抽出することにより行う。叉、所在が同一となっていない物件がある場合は、その廃棄物梱包５０を運送した運送事業者の端末に、警告メールを自動的に送信し、直ちに調査をするように求めるものとする。
【００４６】
廃棄物保管期限管理手段２６は、廃棄物梱包５０が、一時保管倉庫に庫入された場合、保管期限をＲＦＩＤタグに書き込むと共に廃棄物追跡記録ファイル３３に記録し、所定期限内に廃棄物処理完了記録がないかを判定し保管期限超過警告を排出企業端末２に送信する手段である。
【００４７】
前記一時保管倉庫は、廃棄物処理場６内にある場合と、廃棄物処理場から離れた場所に設けられている場合があるが、いずれにしても、その倉庫の入口でＲＦＩＤ読取書込装置４０から、保管扱いとなる廃棄物梱包５０の庫入記録と保管期限をＲＦＩＤタグ６０に書込む。
【００４８】
廃棄物処理記録報告手段２７は、廃棄物処理場端末機から廃棄物処理装置８に投入されたことを示すＲＦＩＤ読取り情報を受信した廃棄物梱包について排出企業端末へ処理完了報告情報を送信する手段である。
【００４９】
この、報告は、処理完了した廃棄物梱包の識別ＩＤと、その処理履歴情報をファイルとして排出企業端末のメールアドレスに配信する。なお、処理完了した廃棄物梱包５０の追跡記録情報は廃棄物追跡記録ファイル３３から所定期日経過後に削除する。
【００５０】
処理異常通知手段２８は、廃棄物追跡記録ファイル３３を検索し識別ＩＤ登録後所定期日を経過した廃棄物梱包の識別ＩＤおよび追跡記録を排出企業端末並びに関係する処理事業者端末に通知する手段である。この手段により、廃棄物梱包５０の識別ＩＤが登録された後に、まったく移動がなされない、又は移動の報告情報がなされない行方不明物件を発見する手段である。
【００５１】
なお、Ｗｅｂサーバ１１は、排出企業端末２からのアクセス要求に応じて、ＩＤ・パスワードの入力を求め、パスワードが確認できた場合、その排出企業に関する廃棄物追跡記録ファイル３３の廃棄物梱包の所在・処理状況を検索して確認画面を送信し、要求があれば、検索内容を印刷情報として送信する問合せ応答機能を備える。
【００５２】
図２は、携帯可能なＲＦＩＤ読取書込装置４０の構成を示す模式図である。
【００５３】
携帯可能なＲＦＩＤ読取書込装置４０は、装置の固有識別コードと、日時・時刻を送受信回路に送り、ＲＦＩＤタグへ書込みデータを送信し、その内容が正確に書き込まれたことを確認し、叉、その書込み内容を不揮発性メモリーに記憶する動作を制御する制御ＣＰＵ４１と、制御ＣＰＵ４１その他の制御回路に駆動用の電源を供給する電源（バッテリー及びその充電回路４４と、装置の固有識別コードを記憶しており、ＲＦＩＤタグへの書込み履歴を記録する不揮発性メモリー４５と、日時・時刻を出力するクロック回路４６とを備える。
【００５４】
さらに、ＲＦＩＤタグに電力を供給すると共に通信を行うタグ通信アンテナ４２と、そのタグ通信アンテナ４２に接続し、該アンテナの励磁を行い、コマンドを送信、応答を受信することにより、ＲＦＩＤタグに所定のデータを送信して書き込み、その書込み内容を読取る励磁回路・送受信回路５３を備える。
【００５５】
また、制御ＣＰＵ４１には、外部接続・通信回路４７を備え、その回路を介して端末パソコンと接続して自身の装置固有の識別ＩＤを読込み前記不揮発性メモリー４５に記憶し、また、不揮発性メモリーの内容を端末パソコンに送信する際に通信を行う。
【００５６】
さらに、書込みスイッチ４８を備え、ＲＦＩＤタグへの書込みを操作者の操作により行わせる。また、廃棄物の種別を設定して書き込むための種別選択スイッチを少なくとも備える。
【００５７】
なお、この実施の形態では、専用のＲＦＩＤ読取書込装置４０の構成を示したが、携帯電話などの制御ＣＰＵ及び外部接続・通信回路を共用して、ＲＦＩＤ励磁・送受信回路４３、タグ通信アンテナ４２を内蔵させたＲＦＩＤ読取書込装置としてもよいことは勿論である。
【００５８】
図３は、読取りゲートの運転制御機構を説明する図である。廃棄物処理場６の廃棄物処理装置８へ廃棄物梱包５０を搬送する搬送コンベア２００に設けられた読取りゲートに固定されたＲＦＩＤ読取書込装置４０は、複数設けられ、廃棄物梱包５０の搬送コンベアへの載置方向に左右されずに左右両方向から読取り可能に設置する。
【００５９】
また、図３の実施例のように、搬送方向に対して前後に第１と第２のＲＦＩＤ読取書込装置４０を２系統設けて、両系統の読取が同一であることを確認して、最終処理されたことを記録する。このとき、２系統の読取りが異なる場合或は読取が不能な場合は、廃棄物梱包５０の封印が破損されていないか確認するため、アラーム警告音・警告灯（図示せず）を点灯しゲートストッパー２１０を閉じて、廃棄物梱包５０が未確認のまま廃棄物処理装置に投入されるのを防ぐ。
【００６０】
このため、読取りゲートには励磁回路・送受信回路４３を複数接続し、アラーム警告音・警告灯を備え搬送コンベア２００上の廃棄物梱包５０を遮るゲートストッパー２１０の動作を制御する運転制御ＣＰＵ４１ａを備える。
【図面の簡単な説明】
【００６１】
【図１】本発明の機密情報記録媒体の廃棄処理管理システムの構成を示す模式図である。
【図２】本発明の携帯可能なＲＦＩＤ読取書込装置４０の構成を示す模式図である。
【図３】本発明の読取りゲートの運転制御機構を説明する図である。
【符号の説明】
【００６２】
１    機密情報記録媒体の排出企業
２    排出企業端末
３ａ  識別ＩＤ採番書込手段
３ｂ  廃棄物移動記録送信手段
４    運送事業者
５    運送事業者端末
６    廃棄物処理場
７    廃棄物処理場端末
８    廃棄物処理装置（焼却装置・破砕・溶解装置）
９    インターネット
１０    機密情報廃棄管理センターコンピュータ
１１    Ｗｅｂサーバ
１２    ＬＡＮ
１３    管理端末
２０    アプリケーションサーバ
３０    データベースサーバ
４０    ＲＦＩＤ読取書込装置４０
４１    制御ＣＰＵ
４１ａ  運転制御ＣＰＵ
４２    タグ通信アンテナ
４３    励磁回路・送受信回路
４４    電源（バッテリー）・充電回路
４５    不揮発性メモリー
４６    クロック回路
４７    外部接続・通信回路
４８    書込みスイッチ
４９    種別選択スイッチ
５０    廃棄物梱包
６０    ＲＦＩＤタグ
１００    機密情報記録媒体の廃棄管理システム
２００    搬送コンベア
２１０    ゲートストッパー
【図１】
2006256718.tif 000003
【図２】
2006256718.tif 000004
【図３】
2006256718.tif 000005